(57)【特許請求の範囲】
【請求項１】
女性装着者用のおむつであって、前記おむつは、互いに直交する長手方向の中心線と、横方向の中心線と、Ｚ方向とを有し、
前記おむつは、
外方へ向いた面と、これとは反対に芯の方へ向いた面とを備える液体透過性トップシートを有し、前記外方へ向いた面は、前記長手方向の中心線と横方向の中心線とが規定する平面内にあり、前記Ｚ方向は、前記の外方へ向いた面から外方へ延在しており、
少なくとも周辺の一部分が前記トップシートと接合されている液体不透過性バックシートを有し、
前記トップシートとバックシートとの間に設けられた吸収性芯と、
前記トップシートの前記外方に面した面に設けられ、そこから前記平面と離隔して実効高さを有する最端部まで外方へ延在する横方向の仕切りとを具備し、
前記横方向の仕切りは、前記おむつを前部と後部とに分割し、それによって、前記おむつの後部に保持された排泄物が前記おむつの前部へ移動するのを阻止し、
前記横方向の仕切りの前記最端部と並置された少なくとも１つのブロッキング要素を具備し、前記少なくとも１つのブロッキング要素は、この少なくとも１つのブロッキング要素がない前記仕切りの非補強領域よりも大きい前記平面からの実効高さを有しているおむつ。
【請求項２】
女性装着者用のおむつであって、前記おむつは、互いに直交する長手方向の中心線と、横方向の中心線と、Ｚ方向とを有し、前記おむつは、
外方へ向いた面と、これとは反対に芯の方へ向いた面とを備える液体透過性トップシートを有し、前記外方へ向いた面は、前記長手方向の中心線と横方向の中心線とがなす平面内にあり、前記Ｚ方向は、前記の外方へ向いた面から外方へ延在しており、
少なくとも周辺の一部分が前記トップシートと接合されている液体不透過性バックシートを有し、
前記トップシートとバックシートとの間に設けられた吸収性芯と、
２つの直立するバリヤレッグカフとを有し、前記バリヤレッグカフの１つは、前記長手方向の中心線の両側に設けられて、ほぼ長手方向に配向されており、
前記トップシートの身体に面した面に設けられ、そこから最端部まで外方へ延在する横方向の仕切りを有し、前記横方向の仕切りは、前記おむつを前部と後部とに分割し、それによって、前記おむつの後部に保持された排泄物が前記おむつの前部へ移動するのを阻止しており、
前記横方向の仕切りの前記最端部と並置され、前記平面から離隔した第１の実効高さを有する３つのブロッキング要素を具備し、中央のブロッキング要素はほぼ前記長手方向の中心線に中心を合わせられ、２つの外方のブロッキング要素によって前記中央のブロッキング要素の横方向を固められており、前記外方のブロッキング要素の１つは、前記長手方向の中心線の各側に設けられ、前記各外方のブロッキング要素は、前記バリヤレッグカフの１つと並置されていて、それによって２つの非補強領域が前記３つのブロッキング要素の間に設けられ、前記ブロッキング要素の前記非補強領域は前記平面から離れた第２の実効高さを有しており、前記第２の実効高さは前記第１の実効高さよりも小さいおむつ。
【請求項３】
前記横方向の仕切りは、横方向へ弾性的に伸張可能であり、前記仕切りは、細長い弾性的な撚り糸を有し、前記撚り糸は、前記仕切りの最端部に並置されている点を特徴とする前記請求項１または２に記載のおむつ。
【請求項４】
少なくとも１つの前記ブロッキング要素が設けられた第２の弾性的撚り糸を更に有し、前記弾性的撚り糸は、前記おむつの前記前部に向かって突出するように前記ブロッキング要素を留める前記請求項３に記載のおむつ。
【請求項５】
前記横方向の仕切り全体が、弾性的に伸張可能であることを特徴とする前記請求項１〜４のいずれか１項に記載のおむつ。
【発明の詳細な説明】
発明の分野
本発明は、使い捨て吸収性製品に関し、特に、吸着された排泄物の移動を減少するための仕切りを有する使い捨て吸収性製品に関する。
発明の背景
おむつのような使い捨て吸収性製品は、当業者ににより作られている。使い捨て吸収性製品は、尿や排泄物のような、吸着した体滲出物を保持し吸収する。
吸着した尿を吸収し保持することに関する分野において、めざましい進歩がなされてきた。例えば、使い捨て吸収性製品は、しばしば漏れたり、吸収用ゲル状物質との一体化のために比較的薄い。
しかしながら、この分野において、使い捨て吸収性製品に排泄物を吸着する取り扱いについては、わずかな試みしかなされていない。排泄物は、着用者の皮膚に望ましくなくこすりつけられる傾向があり、汚れたおむつや他の使い捨て吸収性製品を外したとき、表皮がひりひりしたり、着用者をきれにする作業が複雑になる。
この傾向に打ち克つために、この分野において、着用者の皮膚から排泄物を隔離するある試みが成された。そのような試みは、一般に、排泄物が吸着され保持され（望ましくは）る空間あるいは孔を有しているので、排泄物は、空間あるいは孔にのみ位置付けられる。このような試みの例は、１９８７年５月５日にウイリァムス（Ｗｉｌｉａｍｓ）に対して発行された米国特許第４、６６２、８７７号と、１９９０年１月９日にデスマライス（ＤｅｓＭａｒａｉｓ）他に対して発行された米国特許第４、８９２、５３６号と、１９９０年１１月６日にカーン（Ｋｈａｎ）に対して発行された米国特許第４、９６８、３１２号と、１９９１年２月５日にフリーランド（Ｆｒｅｅｌａｎｄ）に対して発行された米国特許第４、９９０、１４７号と、１９９１年１１月５日にホルツ（Ｈｏｌｔ）に対して発行された米国特許第５、０６２、８４０号とに見られる。
今までに、おむつ内の特定の位置に排泄物を制限する直立した仕切りを賦課する他の試みがこの分野で模索されていた。しかしながら、従来例では、男性と女性の着用者の身体の違いが、従来例に見られる直立したバリヤ（ｂａｒｒｉｅｒ）の効果の異なった制限が賦課することを認識していなかった。男性の着用者は、横方向の仕切りで比較的滑らかな身体表面を呈している。しかし、女性の着用者は、陰唇組織があり、また、仕切りの頂部をシールしない第２の下肢ひだがある。仕切りがシールしないとき、排泄物はより簡単に仕切りを横切る。従来例では、単純に、女性の着用者の身体でよりはっきりしていて、排泄物がそのまま仕切りを横切ってしまうことになるこれらのひだを計算に入れていなかった。直立した仕切りを横切る排泄物は、着用者をきれいにする世話人の作業を増加する。そのような試みの例として、１９９０年１月２３日にエンロー（Ｅｎｌｏｅ）に対して特許された米国特許第４、８９５、５６８号がある。
従って、本発明の目的は、横方向の仕切りを有していて、使い捨て吸収性製品内での排泄物の移動を制限する使い捨て吸収性製品を提供することである。本発明の他の目的は、女性の着用者の身体の構造に適合するような仕切りを有する使い捨て吸収性製品を提供することである。最後に、本発明の目的は、硬さと高さの異なった領域を持った横方向の仕切りを有する使い捨て吸収性製品を提供することである。
【図面の簡単な説明】
図１は、本発明のおむつの一部を切り欠いた平面図。
図２は、図１の２−２線に沿ったオフセット縦断面図。
図３は、図１の３−３線に沿った断面図。
図４は、単一のブロッキング要素を有する本発明の横方向の仕切りの一実施例を示す拡大正面図。
図５は、３つのブロッキング要素を有する横方向の仕切りの他の実施例を示す拡大正面図。
本発明の概要
本発明は、女性の着用者用おむつを備えている。おむつは、互いに直交する長手方向の中心線と、横方向の中心線と、Ｚ方向とを有している。おむつは、長手方向と横方向の中心線との平面にある外方へ向いた平面を有する液体透過性のトップシートを備えている。Ｚ方向は、この平面から外方へ延在している。液体不透過性のバックシートは、少なくとも周辺の一部分がトップシートと接合されていて、芯はトップシートとバックシートとの間に設けられている。
横方向の仕切りは、トップシートの身体が面する表面に設けられていて、そこから外方へ最端部まで延在している。最端部は、長手方向と横方向の中心線とで規定される平面の上方に実効高さで離間している。横方向の仕切りは、おむつを前部と後部とに分けていて、それによって、後部に沈殿した排泄物が前部へ移動するのを遮っている。横方向の仕切りの最端部は、平面からの比較的大きなおよび比較的小さな実効高さで離間した領域を有している。
横方向の仕切りは、少なくとも１つのブロッキング要素を有していても良い。このブロッキング要素は、おむつの長手方向の中心線に中心を合わせても良い。ブロッキング要素は、平面から、ブロッキング要素のない仕切りの非補強領域より大きな実効高さで離間している。
第２の実施例において、横方向の仕切りは、３つのブロッキング要素を有していて、中央のは舷側寄りの２つのブロッキング要素によって側面を固められている。この舷側寄りのブロッキング要素は、もしおむつに含まれていれば、バリヤレッグカフ（ｂａｒｒｉｅｒ  ｌｅｇ  ｃｕｆｆ）と並置される。３つのブロッキング要素の間には、２つの非補強領域がある。ブロッキング要素は、平面の上方に第１の実効高さで離間している。ブロッキング要素の間の非補強領域は、平面から第２の実効高さで離間していて、この第２の実効高さは、ブロッキング要素の第１の実効高さより小さい。
発明の詳細な説明
ここで使われる用語「吸収性製品」は、体滲出物を吸収して収容するものであり、着用者の身体に向かってあるいは接近して配置され排出物を吸収し収容するような装置を指す。用語「使い捨て」は、洗濯をしたり、再貯蔵や再使用したりしない吸収性製品を指す（すなわち、それらは、ただ１回の使用後に捨てられ、そして好ましくは再利用され、堆肥にされ、あるいは環境と両立する方法で捨てられる）。用語「単一の」吸収性製品は、別々のホルダーやライナーのように、手で扱う別々の部品を必要としない調整された本体を形成するように、別々の物品を１つに形成した製品を指す。本発明の吸収性製品の好ましい実施例は、図１に示したように、単一の使い捨て吸収性製品、おむつ２０である。ここで使われる用語「おむつ」は、一般に、幼児や下半身の自制が効かない人が着用する使い捨て吸収性製品を指す。しかしながら、本発明は、失禁ブリーフ、失禁下着および使い捨てホルダーやライナーのような他の使い捨て吸収性製品にも利用できることが理解されるに違いない。
図１は、本発明のおむつ２０であって、平らな、縮んでいない状態を示す平面図である（弾性的な内容物を引き出し、おむつ２０の構成がよりよく分かるように、構造の一部を切り欠いてある）。着用者に面して接しているこのおむつ２０の部分すなわち内側の面は、見ている人の方を向いている。おむつ２０は、長手方向の中心線ＬーＬと横方向の中心線ＴーＴとを有している。ここで、長手方向の中心線ＬーＬすなわち寸法は、前から後ろに並べられ、立っている着用者を左と右半身とに二分する。横方向の中心線ＴーＴすなわち寸法は、長手方向の中心線ＬーＬと直交していて、おむつ２０の平面内にある。Ｚ方向は、長手方向と横方向の中心線ＬーＬ、ＴーＴの何れとも直交していて、おむつ２０の平面から外方へ延在している。
おむつ２０は、液体透過性のトップシート２４と、少なくともその周辺の一部分がトップシート２４と接合されている液体不透過性のバックシート２６と、トップシート２４とバックシート２６との間に設けられた吸収性芯２８とを備えた基台を有している。トップシート２４は、芯２８の方へ内側へ向いた面と、着用者の方へ向いたおよび／または接している外側へ向いた面を有している。長手方向と横方向の中心線ＬーＬ、ＴーＴは、トップシート２４の外側へ向いた面と一致する平面を規定している。
おむつ２０は、さらに、図２に示したように、トップシート２４の外方へ向いた面に取着され、おむつ２０の平面から離れるように延在した横方向の仕切り３８を有している。本発明によるおむつ２０が、着用者の前と後ろとにそれぞれ装着される前部と後部３１、３３とに分割されるのは、横方向の中心線ＴーＴではなく横方向の仕切り３８（この２つは一致しないが）であることが分かる。おむつ２０の前部と後部、３１と３３の間にはおむつ２０の股の部分３５がある。
おむつ２０は、好ましくは、さらに長手方向に向いたバリヤレッグカフ３２を有している。おむつ２０は、また、おむつ２０を着用者に装着するために後部３３に設けられたテープファスナー３６を有していてもよい。おむつ２０は、また、弾性的なウェストバンドやガスケットレッグカフ（図示せず）を有し得る。１９７４年１１月１９日にビュエル（Ｂｕｅｌｌ）に対して発行された米国特許第３、８４８、５９４号と、１９８７年５月５日にヒロツ（Ｈｉｔｏｔｓｕ）他に対して発行された米国再発行特許第Ｂ１  ４、６６２、８７５号とは、テープファスナー３６を示すものとして、ここで参照して本明細書に含める。１９７５年１月１４日にビュエルに対して発行された米国特許第３、８６０、００３号と、１９７８年３月２１日にビュエルに対して発行された米国特許第４、０８１、３０１号と、１９８７年９月２２日にローソン（Ｌａｗｓｏｎ）に対して発行された米国特許第４、６９５、２７８号と、１９８９年２月２８日にデスマライスに対して発行された米国特許第４、８０８、１７７号、および１９９０年７月３日にフォアマン（Ｆｏｒｅｍａｎ）に対して発行された米国特許第４、９３８、７５５号は、ガスケットカフとバリヤレッグカフ３２を示すものとして、ここで参照して本明細書に含める。１９８５年５月１７日にキエフ（Ｋｉｅｖ）に対して発行された米国特許第４、５１５、５９５号と、１９８９年３月２８日にフォアマンに対して発行された米国特許第４、８１６、０２５号とは、弾性化されたウエストの態様を示すものとして、ここで参照して本明細書に含める。
おむつ２０のトップシート２４とバックシート２６とは、長手方向と横方向の寸法を有していて、これらは一般に吸収性芯２８の各寸法よりも大きいので、トップシート２４とバックシート２６とは、おむつ２０の周辺を形成するように、芯２８よりも延在しているであろう。ここで述べる実施例は、約７．３から１２．７キログラム（１６から２８ポンド）の範囲の体重の着用者に適している。もし、おむつ２０が、大きい着用者または小さい着用者用に使用するのであれば、それに応じて寸法を変えられることが分かる。
おむつ２０の要素をより詳細に検証すると、トップシート２４とバックシート２６とは、一般に、同じような拡がりを有していて、少なくとも周囲の一部分が接合されている。ここで使われる用語「接合された」は、第１の部分すなわち要素が、直接的にあるいは間接的に、第２の部分すなわち要素に付着されるか結合された状態を意味している。このことは、第１の部分すなわち要素が、直接的に第２の部分すなわち要素に付着されるか、あるいは、中間の部分すなわち要素に付着され、次いで第２の部分すなわち要素に付着されるか結合されることを意味する。「接合された」要素は、おむつ２０の寿命期間中付着されるか結合されたままに留められ、おむつ２０が、捨てられる以外、あるいは捨てられるまで分離されず、また、環境と両立可能な廃棄が必要でる。「接合された」要素は、１つあるいは２つの要素を、破るか全体的に変形させないと分離できない。
トップシート２４は、おむつ２０のある液体透過性の面を対象としていて、着用者の肌に接触し、吸収性芯２８と着用者の肌との実質的な接触を避ける。トップシート２４は、優しく、心地良い感触で肌を刺激しない。
適切なトップシート２４は、多孔質のフォーム（ｆｏａｍ）、開口したプラスチックフィルム、天然繊維、合成繊維、あるいはそれらの組み合わせから作られる。特に好ましいトップシート２４は、ポリプロピレン繊維を有していて、スパンボンド（ｓｐｕｎｂｏｎｄｅｄ）され、カード（ｃａｒｄｅｄ）され、ウェットレイド（ｗｅｔ  ｌａｉｄ）され、メルトブロウン（ｍｅｌｔ  ｂｌｏｗｎ）され、ハイドロエンタングル（ｈｙｄｒｏｅｎｔａｎｇｌｅｄ）された繊維の不織布で作られる。特に好ましいトップシート２４は、カードされ加熱接合されていて、１平方メートル当たり１４から２５グラムの秤量である。適切なトップシート２４は、マサチューセッツ州ワールポールの、インターナショナルペーパー社の部門であるヴェラテック社から、Ｐ−８として市販されている。
バックシート２６は、尿のような液体に対し不透過性で、芯２８に吸収され保持されている液体によって下着が濡れるのを阻止する。ここで使われる用語「バックシート」は、おむつ２０が装着された時、おむつ２０内で吸収された液体を保持する芯２８の外方に設けられた仕切を意味する。バックシート２６は、好ましくは薄いプラスチックフイルムで作られるが、他の可撓性の液体不透過性の材料が使い得る。ここで使われる用語「可撓性」は、従順で、人体の一般的体型に容易に一致する物質を意味する。バックシート２６は、約０．０１から０．０５ミリメートルの厚さを有するポリエチレンのようなポリオレフィンフィルムである。適切なバックシート２６は、４５から９０パーセントのＬＬＤＰと約１０から５５パーセントのポリプロピレンの混合物で作り得る。バックシート用フィルムの例としては、インディアナ州テレホイテのトレデガー（Ｔｒｅｄｅｇａｒ）インダストリーズ社から、ＲＲ８２２０およびＲＲ５４７５として販売されている。
トップシート２４とバックシート２６とは、接着接合あるいは加熱シールのようなよく知られた手段で接合される。トップシート２４とバックシート２６とを接合する特に好ましい方法は、オハイオ州コロンバスのセンチュリーアドヘッシブ社で製造され市販されているセンチュリー５２２７や、ミネソタ州セントポールのＨ．Ｂ．フラー社から販売されているＢＬ１２５８接着剤、あるいはウィスコンシン州エルムグローブのフィンドレーアドヘッシブ社から入手できるＨ２０３１のような加熱溶融接着である。
ここで使われる用語「芯」は、体滲出物を吸収し保持するためのおむつ２０のある要素を意味する。芯２８は、１つまたはそれ以上のティッシュ（図示せず）の層で包まれている。
芯２８は、粉砕ウッドパルプのような種々の材料で作られ、さらに、当業者に一般に知られている、粒子状のあるいは繊維状の吸収用ゲル状物質を有している。吸収性芯２８は、１９８６年９月９日にワイズマン（Ｗｅｉｓｍａｎ）他に対して発行された米国特許第４、６１０、６７８号と、１９９２年８月１１日にヘロン（Ｈｅｒｒｏｎ）他に対して発行された米国特許第５、１３７、５３７号、および１９９２年９月１５日にヤング（Ｙｏｕｎｇ）他に対して発行された米国特許第５、１４７、３４５号に従って作り得、これらの特許は参照して本明細書に含める。吸収性のゲル状物質は、もし必要であれば、１９８８年４月１９日にブラント（Ｂｒａｎｄｔ）他に対して発行された米国再発行特許第３２、６４９号に従って作り得、この特許も参照して本明細書に含める。
おむつ２０の横方向の寸法のスパンは、直立した横方向の仕切り３８である。もしおむつ２０がバリヤレッグカフ３２を有していると、好ましくは、横方向の仕切り３８は、バリヤレッグカフ３２間の全体の長さにおよぶ。好ましくは、直立した横方向の仕切り３８の２つの端部は、Ｈ字状を成すように、それぞれ１つのバリヤレッグカフ３２に接続されている。横方向の仕切り３８は、トップシート２４の身体に面する側に設けられていて、そこから、トップシート２４の身体に面する側に突然の不連続性を呈するように外方へ向かって延在している。横方向の仕切り３８は、おむつ２０の後部３３に吸着された排泄物が、おむつ２０の前部３１に向かって長手方向へ移動するのを阻止する。好ましくは、横方向の仕切り３８は、一般に真っ直ぐで、直線で囲まれていて、横向きでさらに好ましくは、おむつ２０の横方向の中心線ＴーＴに平行である。所望ならば、横方向の仕切り３８は、おむつ２０の横方向の中心線ＴーＴと一致すべきである。
図２を参照すると、横方向の仕切り３８は、特にその身体と面する側で、当業者によく知られているような接着または他の接続手段によって、好ましくはトップシート２４と接合される基端部を有している。横方向の仕切り３８は、最端部４２の方へＺ方向へのベクトル成分を持って、トップシート２４の面から外方へ延在している。
横方向の仕切り３８は、直立していて平面から実効高さＨ離れていて、トップシート２４の外方へ向いた面の平面の上方のＺ方向に上がっていることが重要である。実効高さＨは、おむつ２０が着用されている間排泄物の長手方向の移動を阻止するように、突然の不連続性を呈するように十分でなければならない。もし、トップシート２４がくしゃくしゃになっていたり、皺が寄っていたり平坦さから偏っていると、これらは、実効高さＨを決定するときに横方向の仕切り３８の位置として計算に組み込まれることが認識される。別の表現をすると、トップシート２４のそのような平坦さからの偏よりは、トップシート２４上の仕切３８の最端部４２の実効高さＨを打ち消し、排泄物の移動を十分に阻止できない。
ここで使われる用語「実効高さ」は、トップシート２４の外側へ向いた面の平面から、横方向の仕切り３８の最端部４２までのＺ方向の距離を意味する。実効高さＨは、おむつ２０が水平面にあるときで、弾性的な誘導構成が生じ、それによって使用状態のようになったＺ方向で測られる。バリヤレッグカフ３２の実効高さＨは、ブロッキング要素３９の実効高さＨより小さい。横方向の仕切り３８の最端部４２は、好ましくは、トップシート２４の身体に面する面上で、少なくとも１．５センチメートル、より好ましくは少なくとも２．５センチメートル、最も好ましくは少なくとも３．５センチメートルの実効高さＨを有している。
図３に示したように、横方向の仕切り３８は、好ましくは、直立した横方向の仕切り３８はおむつ２０の後部と後方のくびれた縁へ向くように、トップシート２４の平面と直交しないで、ある角度を持った関係に設けられている。この構成は、排泄物の圧力が横方向の仕切り３８をシールするのを助け、排泄物が横方向の仕切り３８を越えて漏れるのを最小にする改良をもたらす。この構成はさらに、横方向の仕切り３８が着用者の身体に接触するのを維持するのに必要な垂直力を最小にする。
横方向の仕切り３８が、水透過性の材料で作られてもよいが、しかし好ましくは、水不透過性の材料で作られる。水不透過性の材料は、柔らかい排泄物が着用者の生殖器に到達するのを阻止（あるいはその量を最小に）する。バリヤレッグカフ３２を形成するのに使われるような不織材料が、横方向の仕切り３８に特に好適であることが分かった。横方向の仕切り３８用に好適な他の材料は、フォーム（ｆｏａｍ）、フォーム状のフィルム、それらの薄板などである。
横方向の仕切り３８は、横方向に縮径していて、また弾性的に伸張可能である。選択的に、横方向の仕切り３８は、長手方向にも縮径しおよび／または弾性的に伸張可能である。このことが、当業者によく知られているような、いろいろな方法を達成するであろう。１つの適切な方法は、弾性材料の細長い（ｌｉｎｅａｒ）撚り糸を仕切り３８の最端部４２に、あるいは近くに並置することであり、それ故仕切り３８はそこで弾性的に伸張可能である。所望ならば、更なる撚り糸が、後述するブロッキング要素３９と適応させるように、仕切りの最端部４２と並置しても良い。あるいは、横方向の仕切り３８全体を弾性的に伸張可能にする作り方もあり、また、当業者によく知られているように、ブロッキング要素３９を覆って横方向の仕切り３８の物質を折り曲げて、ブロッキング要素３９をそれに取着するかその中に入れる作り方もある。
そばに併置するか、そこに設けるかして、横方向の仕切り３８の最端部４２には、１つまたはそれ以上のブロッキング要素３９がある。ブロッキング要素３９は、ブロッキング要素３９があるところでのみ、横方向の仕切り３８の硬さあるいは厚さを部分的に増す。より重要なことは、ブロッキング要素３９が、トップシート２４から離れたＺ方向へ突出してることである。この突出は、ブロッキング要素３９の高さを部分的に増す。このようにして、仕切り３８の実効高さＨは、ブロッキング要素３９の部分において、仕切り３８がない非補強領域４４の最端部４２より大きい。実効高さＨの部分的な増加は、３から８ミリメートルが適切であることが分かった。
ブロッキング要素３９の高い部分は、女性の着用者の身体の割れ目に適合する。特に、ブロッキング要素３９は、内ももと股とが合うひだや、陰唇組織間のひだのある女性の着用者の身体と合致してその割れ目をシールする。
このように、本発明によるおむつ２０は、以下に述べるように、単一のブロッキング要素３９か、複数のブロッキング要素３９’、３９”を有する。ブロッキング要素３９間には、横方向の仕切り３８の非補強領域４４がある。
適切なブロッキング要素３９は、前述したＰ−８の不織材料で作られる。不織材料は、適切な大きさと寸法を得るために、ローラを掛けられたり薄板状にされたり出来る。適切なフォームは、マサチューセッツ州ローレンスの積水アメリカ社のヴォルテック部門から、ヴォラーラ２ＡＰＥホワイトフォームとして入手し得る。フォームは厚さが１から５ミリメートルで、横方向の仕切り３８の最端部４２を覆って包まれているので、ブロッキング要素３９は、横方向の仕切り３８の最端部４２から数ミリメートル下方へ延在している。
ブロッキング要素３９は、細長い弾性的な撚り糸上に設けられる。この構成は、ブロッキング要素３９を、上方のＺ方向要素と共に留め、おむつ２０の前部３１の方へ突出している。この構成は、非補強領域４４上のブロッキング要素３９の実効高さＨを部分的に増す。
図４を参照すると、仕切り３８は、おむつ２０の長手方向の中心線ＬーＬに中心を合わせた中央のブロッキング要素３９を有している。最端部４２で３から９センチメートルの横方向の寸法を有し、弾性を誘起する収縮を持った横方向の仕切り３８のために、中央のブロッキング要素３９は、１から２センチメートルの横方向の寸法を有している。
図５を参照すると、横方向の仕切り３８は、２つの非補強領域４４で分けられた３つのブロッキング要素３９’３９”を有している。５から２０ミリメートルの横方向の寸法を有する中央のブロッキング要素３９’は、仕切り３８の長手方向の中心線ＬーＬに中心が合わせられている。２つの外側のブロッキング要素３９”は、中央のブロッキング要素３９’の横方向に設けられていて、直立したバリヤレッグカフ３２と併置されている。外側の各ブロッキング要素３９”は、５から２０ミリメートルの横方向の長さを有している。ブロッキング要素３９の間の横方向の仕切り３８の非補強領域４４は、それ故３から１０ミリメートルである。特に好ましい実施例では、横方向の長さが５．５センチメートルの横方向の仕切り３８と、横方向の長さが１センチメートルのブロッキング要素３９’と、各横方向の長さが１．５センチメートルの２つの外側のブロッキング要素３９”と、各横方向の長さが０．７５センチメートルの２つの非補強領域４４とを有している。
【図１】
0003732515.tif 000002
【図２】
0003732515.tif 000003
【図３】
0003732515.tif 000004
【図４】
0003732515.tif 000005
【図５】
0003732515.tif 000006